(57)【要約】【課題】系統間で入力タイミングに時間差が生じる場合や、ＩＰ放送システムに適用する場合であっても、システムのコストアップを極力抑えた上でＴＳの監視を行い得る監視装置を提供する。【解決手段】ＴＳ監視装置１において、各系それぞれのＴＳに含まれるＰＣＲパケットを利用して、各系のＴＳ受信部１１，１２にてＴＳパケットに時刻を付与し、各ＴＳパケット数カウント部１３，１４で１パケット単位でカウントされた後、ＴＳパケット数比較部１５にて各系統の同一時刻のＴＳパケット数をＰＩＤごとに比較することにより、系統間で同じＴＳ、つまり送出すべきＴＳが正しく送出されているか否かの判断がなされ、その判断結果を含み、かつ各系統のＴＳの送出状況を示す監視情報がメモリ１６に蓄積される。【選択図】      図１
2010074513.tif 000002
【特許請求の範囲】
【請求項１】
第１系と第２系で互いに一定のデータ長の複数の伝送パケットを配列し、かつ絶対時間の情報としてＰＣＲ(Program Clock Reference)パケットを含むＴＳ（Transport Stream）の監視を行う監視装置において、
前記第１系及び第２系それぞれのＴＳから前記ＰＣＲパケットを検出する検出手段と、
この検出手段で検出された前記ＰＣＲパケットに基づいて、前記第１系のＴＳの各伝送パケット及び前記第２系のＴＳの各伝送パケットに時刻を付与する時刻付与手段と、
この時刻付与手段により時刻が付与された前記第１系のＴＳ及び前記第２系のＴＳの伝送パケット数をカウントする計数手段と、
この計数手段によりカウントされた同一時刻の前記第１系のＴＳのパケット数と前記第２系のＴＳの伝送パケット数とを比較する比較手段と、
この比較手段による比較結果を含む所定の監視情報を蓄積する情報蓄積手段とを具備したことを特徴とする監視装置。
【請求項２】
前記比較手段は、映像パケット、音声パケット、データパケット及びヌルパケットのそれぞれについて伝送パケット数を比較することを特徴とする請求項１記載の監視装置。
【請求項３】
さらに、前記比較手段による比較結果が不一致を示す場合に、この不一致の旨をアラームとして外部に報知するアラーム出力手段を備えることを特徴とする請求項１記載の監視装置。
【請求項４】
一定のデータ長の複数の伝送パケットを配列したＴＳ（Transport Stream）をＩＰ(Internet Protocol)再送信装置にてＩＰネットワーク伝送用のＲＴＰ(Real-time Transport Protocol)パケットに変換して送出するシステムに用いられ、
前記ＩＰ再送信装置の入力信号の伝送パケット数及び前記ＩＰ再送信装置の出力信号の伝送パケット数をそれぞれカウントする計数手段と、
この計数手段によりカウントされた前記ＩＰ再送信装置の入力信号の伝送パケット数と前記ＩＰ再送信装置の出力信号の伝送パケット数とを比較する比較手段と、
この比較手段による比較結果を含む所定の監視情報を蓄積する情報蓄積手段とを具備したことを特徴とする監視装置。
【請求項５】
前記ＴＳに絶対時間の情報としてＰＣＲ(Program Clock Reference)パケットを含むとき、
前記ＩＰ再送信装置の入力信号及び出力信号それぞれから前記ＰＣＲパケットを検出する検出手段と、
この検出手段で検出された前記ＰＣＲパケットに基づいて、前記ＩＰ再送信装置の入力信号と前記ＩＰ再送信装置の出力信号とに時刻を付与する時刻付与手段とをさらに備え、
前記計数手段は、前記時刻付与手段により時刻が付与された前記ＩＰ再送信装置の入力信号及び出力信号の伝送パケット数をカウントし、
前記比較手段は、この計数手段によりカウントされた同一時刻の前記ＩＰ再送信装置の入力信号のパケット数と前記ＩＰ再送信装置の出力信号の伝送パケット数とを比較することを特徴とする請求項４記載の監視装置。
【請求項６】
前記比較手段は、映像パケット、音声パケット、データパケット及びヌルパケットのそれぞれについて伝送パケット数を比較することを特徴とする請求項４記載の監視装置。
【請求項７】
さらに、前記比較手段による比較結果が不一致を示す場合に、この不一致の旨をアラームとして外部に報知するアラーム出力手段を備えることを特徴とする請求項４記載の監視装置。
【請求項８】
ＩＰ（Internet Protocol）ネットワークへ送出され複数の伝送パケットを含むＲＴＰ(Real-time Transport Protocol)パケット及び前記ＩＰネットワークから返送されるＲＴＰパケットの監視を行う監視装置において、
前記ＩＰネットワークへの送出信号の伝送パケット数及び前記ＩＰネットワークからの返送信号の伝送パケット数をそれぞれカウントする計数手段と、
この計数手段によりカウントされた前記ＩＰネットワークへの送出信号の伝送パケット数と前記ＩＰネットワークからの返送信号の伝送パケット数とを比較する比較手段と、
この比較手段による比較結果を含む所定の監視情報を蓄積する情報蓄積手段とを具備したことを特徴とする監視装置。
【請求項９】
前記ＲＴＰパケットに絶対時間の情報としてＰＣＲ(Program Clock Reference)パケットを含むとき、
前記ＩＰネットワークへの送出信号及び返送信号それぞれから前記ＰＣＲパケットを検出する検出手段と、
この検出手段で検出された前記ＰＣＲパケットに基づいて、前記ＩＰネットワークへの送出信号と前記ＩＰネットワークからの返送信号とに対し時刻を付与する時刻付与手段とをさらに備え、
前記計数手段は、前記時刻付与手段により時刻が付与された前記ＩＰネットワークへの送出信号及び返送信号の伝送パケット数をカウントし、
前記比較手段は、同一時刻の伝送パケット数を比較することを特徴とする請求項８記載の監視装置。
【請求項１０】
前記比較手段は、映像パケット、音声パケット、データパケット及びヌルパケットのそれぞれについて伝送パケット数を比較することを特徴とする請求項８記載の監視装置。
【請求項１１】
さらに、前記比較手段による比較結果が不一致を示す場合に、この不一致の旨をアラームとして外部に報知するアラーム出力手段を備えることを特徴とする請求項８記載の監視装置。
【発明の詳細な説明】
【技術分野】
【０００１】
この発明は、例えば二重化構造を有する放送設備や、放送波をＩＰ(Internet Protocol)網への伝送信号に変換するシステムに用いられる監視装置に関する。
【背景技術】
【０００２】
従来より、放送局にあっては、機器の故障対策及び保守のために、第１系・第２系の二重化構成とすることが一般的となっている。ここで、放送局では、各系統のＴＳの送出状況を監視する必要があることから各系統毎に監視装置を設けるようにしている（例えば、特許文献１）。
【０００３】
ところで、上記監視装置では、各系統間で入力タイミングに時間差を生じる場合には、各系統のＴＳの送出状況を監視することが困難となる。
【０００４】
一方、近年では、放送局から放送受信装置に対し放送波による放送コンテンツの送信の他に、ＩＰ網を介して放送受信装置のユーザへ放送コンテンツの送信を行うＩＰ放送システムが普及している。このＩＰ放送システムにおいても、監視装置を設けることが要望されている。
【０００５】
しかし、上記ＩＰ放送システムでは、放送波とＩＰ網とで送出規格が異なるため、放送波とＩＰ網とでそれぞれ専用の監視装置を設ける必要がある。このため、システムの構成が大掛かりなものになるとともに、設備投資負担が大きくなる。
【特許文献１】特開２００３−１１１１０５公報。
【発明の開示】
【発明が解決しようとする課題】
【０００６】
以上のように、上記放送局では、各系統間で入力タイミングに時間差が生じた場合であっても、各系統のＴＳの送出状況を監視するための実現手段が未だ開発されていない。
【０００７】
また、上記ＩＰ放送システムにおいては、放送波とＩＰ網とで送出規格が異なるため、放送波とＩＰ網とでそれぞれ専用の監視装置を設ける必要があり、システムのコストアップを招くことになる。
【０００８】
そこで、この発明の目的は、系統間で入力タイミングに時間差が生じる場合や、ＩＰ放送システムに適用する場合であっても、システムのコストアップを極力抑えた上でＴＳの監視を行い得る監視装置を提供することにある。
【課題を解決するための手段】
【０００９】
上記目的を達成するために、この発明に係る監視装置は、第１系と第２系で互いに一定のデータ長の複数の伝送パケットを配列し、かつ絶対時間の情報としてＰＣＲ(Program Clock Reference)パケットを含むＴＳ（Transport Stream）の監視を行う監視装置において、第１系及び第２系それぞれのＴＳから前記ＰＣＲパケットを検出する検出手段と、この検出手段で検出されたＰＣＲパケットに基づいて、第１系のＴＳと第２系のＴＳとに対し時刻を付与する時刻付与手段と、この時刻付与手段により時刻が付与された第１系のＴＳ及び第２系のＴＳの伝送パケット数をカウントする計数手段と、この計数手段によりカウントされた第１系のＴＳのパケット数と第２系のＴＳの伝送パケット数とを比較する比較手段と、この比較手段による比較結果を含む所定の監視情報を蓄積する情報蓄積手段とを備えるようにしたものである。
【００１０】
この構成によれば、各系それぞれのＴＳに含まれるＰＣＲパケットを利用して、各系統のＴＳに対し時刻を付与し、この時刻を付与した状態で各系統の同一時刻のＴＳの伝送パケット数を比較することにより、系統間で同じＴＳ、つまり送出すべきＴＳが正しく送出されているか否かの判断がなされ、その判断結果を含み、かつ各系統のＴＳの送出状況を示す監視情報が蓄積される。
【００１１】
従って、ＰＣＲパケットを利用するという簡単な手順で、各系統間でＴＳの入力タイミングを揃えることができ、この時間差を吸収した状態で、上記蓄積された監視情報に基づいて、各系統で共通の１つの装置で系統ごとのＴＳの異常発生状況の管理を行うことが可能となる。
【００１２】
さらに、比較手段による比較結果が不一致を示す場合に、この不一致の旨をアラームとして外部に報知するアラーム出力手段を備える。
【００１３】
この構成によれば、送出すべきＴＳに異常が発生した旨を外部に知らせることができ、これにより復旧操作などの対応処置を迅速に講じることが可能となる。
【００１４】
また、この発明に係る監視装置は、一定のデータ長の複数の伝送パケットを配列したＴＳ（Transport Stream）をＩＰ(Internet Protocol)再送信装置にてＩＰネットワーク伝送用のＲＴＰ(Real-time Transport Protocol)パケットに変換して送出するシステムに用いられ、ＩＰ再送信装置の入力信号の伝送パケット数及びＩＰ再送信装置の出力信号の伝送パケット数をそれぞれカウントする計数手段と、この計数手段によりカウントされたＩＰ再送信装置の入力信号の伝送パケット数とＩＰ再送信装置の出力信号の伝送パケット数とを比較する比較手段と、この比較手段による比較結果を含む所定の監視情報を蓄積する情報蓄積手段とを備えるようにしたものである。
【００１５】
この構成によれば、監視項目を、伝送パケット数比較のみに絞り込むことにより、送出規格に依存しない監視装置を汎用サーバにて実現可能となる。従って、デジタル放送のみでなく、ＩＰ多チャンネル放送、ＩＰ再送信といった新たなサービスへの適用もシステムのコストアップを極力抑えた上で実現できる。
【発明の効果】
【００１６】
以上詳述したようにこの発明によれば、系統間で入力タイミングに時間差が生じる場合や、ＩＰ放送システムに適用する場合であっても、システムのコストアップを極力抑えた上でＴＳの監視を行い得る監視装置を提供することができる。
【発明を実施するための最良の形態】
【００１７】
以下、この発明の実施形態について図面を参照して詳細に説明する。  
（第１の実施形態）  
図１は、この発明に係るＴＳ監視装置が使用される局内システムの第１の実施形態を示すブロック図である。
【００１８】
図１において、符号１はＴＳ監視装置で、ＴＳ受信部１１，１２と、ＴＳパケットカウント部１３，１４と、ＴＳパケット数比較部１５と、メモリ１６と、アラーム出力部１７とを備えている。
【００１９】
ＴＳ受信部１１は、１系に設けられる放送局２から送出されるＴＳパケットを取込む。また、ＴＳ受信部１２は、２系に設けられる放送局３から送出されるＴＳパケットを取込む。
【００２０】
ＴＳパケット数カウント部１３は、ＴＳ受信部１１により取込まれたＴＳパケットの数をＰＩＤごとにカウントし、そのカウンタ値を含めた所定の出力情報をＴＳパケット数比較部１５に出力する。ＴＳパケット数カウント部１４は、ＴＳ受信部１２により取込まれたＴＳパケットの数をＰＩＤごとにカウントし、そのカウンタ値を含めた所定の出力情報をＴＳパケット数比較部１５に出力する。
【００２１】
ＴＳパケット数比較部１５は、所定の時間間隔で、ＴＳパケット数カウント部１３，１４の出力を比較し、この比較結果を含めた所定の監視情報をメモリ１６に記憶する。メモリ１６に記憶された所定の監視情報は、プリント出力もしくは表示器に表示される。
【００２２】
アラーム出力部１７は、ＴＳパケット数比較部１５の出力が「異常」を示す場合に、外部にアラームを出す。
【００２３】
ところで、上記第１の実施形態では、ＴＳ受信部１１に、ＰＣＲ検出部１１１と、時刻付与部１１２とを備えている。ＰＣＲ検出部１１１は、ＴＳに含まれるＰＣＲパケットを検出する。時刻付与部１１２は、ＰＣＲ検出部１１１により検出されたＰＣＲパケットに基づいて、各ＴＳパケットに時刻を付与する。
【００２４】
また、ＴＳ受信部１２にも、上記ＴＳ受信部１１と同様に、ＰＣＲ検出部１２１と、時刻付与部１２２とを備えている。
【００２５】
次に、上記構成における処理動作につき説明する。  
まず、放送局２，３では、互いに独立して同一のＴＳパケットを生成する。これらのＴＳパケットは、ＭＰＥＧ２符号化方式で規格されている。
【００２６】
ここで、ＴＳ監視装置１では、上記放送局２からのＴＳパケットをＴＳ受信部１１に入力し、上記放送局３からのＴＳパケットをＴＳ受信部１２に入力し、図２に示す如く、ＴＳ監視装置１に入力される２ＴＳのタイミングずれを吸収するために、それぞれの入力ＴＳに含まれるＰＣＲパケットを用い、各ＴＳパケットに時刻付与を行う。図２において、映像は映像パケット、音声は音声パケット、ＮＵＬＬは無効なヌルパケット、ＰＳＩ，ＳＩはイベント情報パケットを示している。
【００２７】
そして、各ＴＳ受信部１１，１２の出力を各ＴＳパケット数カウント部１３，１４でカウントする。
【００２８】
各ＴＳパケット数カウント部１３，１４でカウントされた結果は、ＴＳパケット数比較部１５によって同一時刻のＴＳパケット数がＰＩＤ（パケットＩＤ）ごと、つまり映像、音声、ヌル、ＰＳＩ、ＳＩそれぞれについて比較され、その比較結果を示す情報はメモリ１６に記憶されるとともに、アラーム出力部１７に通知される。
【００２９】
アラーム出力部１７では、ＴＳパケット数比較部１５からの情報から規定差以上を超えた場合に、異常発生と判断して外部にアラームを発生する。
【００３０】
以上のように上記第１の実施形態では、ＴＳ監視装置１において、各系それぞれのＴＳに含まれるＰＣＲパケットを利用して、各系のＴＳ受信部１１，１２にてＴＳパケットに時刻を付与し、各ＴＳパケット数カウント部１３，１４で１パケット単位でカウントされた後、ＴＳパケット数比較部１５にて各系統の同一時刻のＴＳパケット数をＰＩＤごとに比較することにより、系統間で同じＴＳ、つまり送出すべきＴＳが正しく送出されているか否かの判断がなされ、その判断結果を含み、かつ各系統のＴＳの送出状況を示す監視情報がメモリ１６に蓄積される。
【００３１】
従って、ＰＣＲパケットを利用するという簡単な手順で、各系統間でＴＳの入力タイミングを揃えることができ、この時間差を吸収した状態で、上記蓄積された監視情報に基づいて、各系統で共通の１台のＴＳ監視装置１で系統ごとのＴＳの異常発生状況の管理を行うことが可能となる。
【００３２】
また、上記第１の実施形態によれば、ＴＳパケット数比較部１５による比較結果が異常を表わす場合に、アラーム出力部１７により外部にアラームが発せられるので、送出すべきＴＳに異常が発生した旨を外部に知らせることができ、これにより復旧操作などの対応処置を迅速に講じることが可能となる。
【００３３】
（第２の実施形態）  
図３は、この発明の第２の実施形態として、ＩＰ放送システムを示すブロック図である。
【００３４】
図３において、デジタル放送波は、放送波受信部４で受信されてＴＳに復調され、ＩＰ再送信装置５によってＴＳからＲＴＰパケットに生成されてＩＰ網ＮＷに送出される。
【００３５】
図３において、符号６はＩＰ再送信用監視装置で、ＴＳ受信部６１と、ＩＰ受信部６２と、ＴＳパケットカウント部６３，６４と、ＴＳパケット数比較部６５と、メモリ６６と、アラーム出力部６７とを備えている。
【００３６】
ＴＳ受信部６１は、放送波受信部４から送出されるＴＳパケットを取込む。また、ＩＰ受信部６２は、ＩＰ再送信装置５から送出されるＲＴＰパケットを取込む。
【００３７】
ＴＳパケット数カウント部６３は、ＴＳ受信部６１により取込まれたＴＳパケットの数をＰＩＤごとにカウントし、そのカウンタ値を含めた所定の出力情報をＴＳパケット数比較部６５に出力する。ＴＳパケット数カウント部６４は、ＩＰ受信部６２によりＲＴＰパケットから復元されたＴＳパケットの数をＰＩＤごとにカウントし、そのカウンタ値を含めた所定の出力情報をＴＳパケット数比較部６５に出力する。
【００３８】
ＴＳパケット数比較部６５は、所定の時間間隔で、ＴＳパケット数カウント部６３，６４の出力を比較し、この比較結果を含めた所定の監視情報をメモリ６６に記憶する。メモリ６６に記憶された所定の監視情報は、プリント出力もしくは表示器に表示される。
【００３９】
アラーム出力部６７は、ＴＳパケット数比較部６５の出力が「異常」を示す場合に、外部にアラームを出す。
【００４０】
ところで、上記第２の実施形態では、ＴＳ受信部６１に、ＰＣＲ検出部６１１と、時刻付与部６１２とを備えている。ＰＣＲ検出部６１１は、ＴＳに含まれるＰＣＲパケットを検出する。時刻付与部６１２は、ＰＣＲ検出部６１１により検出されたＰＣＲパケットに基づいて、各ＴＳパケットに時刻を付与する。
【００４１】
また、ＩＰ受信部６２にも、上記ＴＳ受信部６１と同様に、ＰＣＲ検出部６２１と、時刻付与部６２２とを備えている。
【００４２】
次に、上記構成における処理動作につき説明する。  
放送波受信部４で得られたＴＳパケットは、ＩＰ再送信装置５によって、図４に示すようなＲＴＰパケットに生成されてＩＰ網ＮＷに送出される。このＲＴＰパケットは、ＩＰヘッダ部と、ＵＤＰ(User Data Protocol)ヘッダ部と、ＲＴＰヘッダ部と、複数のＴＳパケットにより構成される。
【００４３】
ここで、ＩＰ再送信用監視装置６では、上記放送波受信部４からのＴＳパケットをＴＳ受信部６１に入力し、上記ＩＰ再送信装置５からのＲＴＰパケットをＩＰ受信部６２に入力し、ＩＰ再送信用監視装置６に入力される２ＴＳのタイミングずれを吸収するために、それぞれの入力ＴＳに含まれるＰＣＲパケットを用い、各ＴＳパケットに時刻付与を行う。
【００４４】
そして、ＴＳ受信部６１の出力をＴＳパケット数カウント部６３でカウントし、ＩＰ受信部６２の出力をＴＳパケット数カウント部６４でカウントする。
【００４５】
各ＴＳパケット数カウント部６３，６４でカウントされた結果は、ＴＳパケット数比較部６５によって同一時刻のＴＳパケット数がＰＩＤごと、つまり映像、音声、ヌル、ＰＳＩ、ＳＩそれぞれについて比較され、その比較結果を示す情報はメモリ６６に記憶されるとともに、アラーム出力部６７に通知される。
【００４６】
アラーム出力部６７では、ＴＳパケット数比較部６５からの情報から規定差以上を超えた場合に、異常発生と判断して外部にアラームを発生する。
【００４７】
以上のように上記第２の実施形態では、ＩＰ再送信用監視装置６において、各系それぞれのＴＳに含まれるＰＣＲパケットを利用して、ＴＳ受信部６１及びＩＰ受信部６２にてＴＳパケットに時刻を付与し、各ＴＳパケット数カウント部６３，６４で１パケット単位でカウントされた後、ＴＳパケット数比較部６５にて各系統の同一時刻のＴＳパケット数をＰＩＤごとに比較することにより、放送波と同じ放送内容がＩＰ網ＮＷへ正しく送出されているか否かの判断がなされ、その判断結果を含み、かつＴＳの送出状況を示す監視情報がメモリ１６に蓄積される。
【００４８】
従って、監視項目を、ＴＳパケット数比較のみに絞り込むことにより、送出規格に依存しないＩＰ再送信用監視装置６を汎用サーバにて実現可能となる。この場合、セクションデータ記載内容異常といった詳細な監視は行えないが、送出装置の機器障害,送出ＥＳ（ビットレート)異常などを監視可能である。これにより、デジタル放送のみでなく、ＩＰ多チャンネル放送、ＩＰ再送信といった新たなサービスへの適用もシステムのコストアップを極力抑えた上で実現できる。
【００４９】
（第３の実施形態）  
この発明の第３の実施形態は、ＴＳがＩＰ網ＮＷ上で正しく送出されているか否かを、ＩＰ網ＮＷへの送出ＲＴＰパケットとＩＰ網ＮＷからの返送ＲＴＰパケットとを比較することにより判断する。
【００５０】
ＩＰ再送信用監視装置６では、上記ＩＰ再送信装置５からの送出ＲＴＰパケットをＩＰ受信部６２に入力し、ＩＰ網ＮＷからの返送ＲＴＰパケットをＩＰ受信部６２に入力し、それぞれの入力ＴＳに含まれるＰＣＲパケットを用い、各ＴＳパケットに時刻付与を行う。
【００５１】
そして、ＩＰ受信部６２の各出力をＴＳパケット数カウント部６４でカウントする。
【００５２】
ＴＳパケット数カウント部６４でカウントされた結果は、ＴＳパケット数比較部６５によって同一時刻のＴＳパケット数がＰＩＤごと、つまり映像、音声、ヌル、ＰＳＩ、ＳＩそれぞれについて比較され、その比較結果を示す情報はメモリ６６に記憶されるとともに、アラーム出力部６７に通知される。
【００５３】
アラーム出力部６７では、ＴＳパケット数比較部６５からの情報から規定差以上を超えた場合に、異常発生と判断して外部にアラームを発生する。
【００５４】
以上のように上記第３の実施形態にあっても、上記第１及び第２の実施形態と同様な作用効果が得られる。
【００５５】
（その他の実施形態）  
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５６】
【図１】この発明に係るＴＳ監視装置が使用される局内システムの第１の実施形態を示すブロック図。
【図２】同第１の実施形態における２系のＴＳの入力タイミングを説明するために示す図。
【図３】この発明の第２の実施形態として、ＩＰ放送システムを示すブロック図。
【図４】同第２の実施形態で用いられるＲＴＰパケットの構造を示す図。
【符号の説明】
【００５７】
１…ＴＳ監視装置、２，３…放送局、４…放送波受信部、５…ＩＰ再送信装置、６…ＩＰ再送信用監視装置、１１，１２，６１…ＴＳ受信部、１３，１４，６３，６４…ＴＳパケットカウント部、１５，６５…ＴＳパケット数比較部、１６，６６…メモリ、１７，６７…アラーム出力部、１１１，１２１，６１１，６２１…ＰＣＲ検出部、１１２，１２２，６１２，６２２…時刻付与部、６２…ＩＰ受信部、ＮＷ…ＩＰ網。
【図１】
2010074513.tif 000003
【図２】
2010074513.tif 000004
【図３】
2010074513.tif 000005
【図４】
2010074513.tif 000006